【手続補正書】
【提出日】令和2年10月30日(2020.10.30)
【手続補正１】
【補正対象書類名】特許請求の範囲
【補正対象項目名】全文
【補正方法】変更
【補正の内容】
【特許請求の範囲】
【請求項１】
ダンネージ変換機であって、
ストック材を比較的低密度のダンネージの帯に成形するための成形アセンブリと、前記成形アセンブリの下流にある送給アセンブリであって、前記成形アセンブリを通過させるようにストック材を引っ張る少なくとも１つの回転要素を有する送給アセンブリと、を有する変換アセンブリと、
前記変換アセンブリの下流にある切断アセンブリであって、前記変換アセンブリによって生成された前記ダンネージの帯から個別の長さのダンネージ製品を切断する切断アセンブリと、
前記切断アセンブリの下流にある出口シュートであって、前記切断アセンブリからダンネージ製品を受け入れるように構成された出口シュートと、
を備え、
前記出口シュートは、通路が中を貫くハウジングを備え、前記通路は、入口端に入口を有するとともに、前記入口端から離れた出口端に出口を有し、前記通路は、前記入口から前記出口まで下流方向に延在し、
前記出口シュートは、前記通路の下面を規定する下部ガイド面を備え、前記下部ガイド面は、前記入口の方に向かって上流端を有するとともに、前記出口の方に向かって下流端を有し、前記上流端が前記通路の中心線から離れている距離は、前記下流端が前記通路の前記中心線から離れている距離より大きく、それにより、前記通路の断面が前記入口から前記出口に向かって小さくなるような傾斜面が提供される、
ダンネージ変換機。
【請求項２】
前記下部ガイド面は、前記出口に向けて前記下部ガイド面を移動させるように駆動される少なくとも１つの回転要素を備える、
請求項１に記載のダンネージ変換機。
【請求項３】
前記少なくとも１つの回転要素のうちの少なくとも１つを駆動するように構成された動力源をさらに備える、
請求項２に記載のダンネージ変換機。
【請求項４】
前記下部ガイド面は、コンベヤベルトによって規定される、
請求項２又は請求項３に記載のダンネージ変換機。
【請求項５】
上部ガイド面をさらに備え、
前記上部ガイド面は前記通路の上面を規定し、前記下部ガイド面とは離れており非平行であり、前記上部ガイド面は、前記入口の方に向かって上流端を有するとともに、前記出口の方に向かって下流端を有し、前記上流端が前記通路の中心線から離れている距離は、前記下流端が前記通路の前記中心線から離れている距離より大きく、それにより傾斜面が提供され、
前記上部ガイド面と前記下部ガイド面とは、それらの間隔が前記出口の付近で最小になるように収束する、
請求項１〜４の何れか一項に記載のダンネージ変換機。
【請求項６】
前記上部ガイド面は、コンベヤベルトによって規定される、
請求項５に記載のダンネージ変換機。
【請求項７】
前記上部及び下部ガイド面のそれぞれは、少なくとも２つの回転部材を備える、
請求項５又は請求項６に記載のダンネージ変換機。
【請求項８】
前記出口付近で、前記上部及び下部ガイド面は最も互いに接近し、２０ｍｍ離れている、
請求項５〜７の何れか一項に記載のダンネージ変換機。
【請求項９】
前記上部及び下部ガイド面は弾性を有する、
請求項５〜８の何れか一項に記載のダンネージ変換機。
【請求項１０】
前記上部及び下部ガイド面の下流端は固定された位置にある、
請求項５〜９の何れか一項に記載のダンネージ変換機。
【請求項１１】
前記上部及び下部ガイド面の間隔が最も狭い箇所から前記シュートの前記入力端までの距離は、少なくとも１４０ｍｍである、
請求項５〜１０の何れか一項に記載のダンネージ変換機。
【請求項１２】
前記下部ガイド面は、前記下部ガイド面の前記上流端から前記下部ガイド面の前記下流端まで連続面を提供するように構成されたコンベヤベルトである、
請求項１〜１１の何れか一項に記載のダンネージ変換機。
【請求項１３】
出口シュートは、前記出口シュートを貫く前記通路の対向する側面を規定する、左右の側壁を有するハウジングを備える、
請求項１〜１２の何れか一項に記載のダンネージ変換機。
【請求項１４】
ストック材をより低密度のダンネージ製品に変換するダンネージ変換機のための出口シュートであって、
通路が中を貫くハウジングであって、前記通路は、入口端に入口を有するとともに、前記入口端から離れた出口端に出口を有し、前記通路は、前記入口から前記出口まで下流方向に延在する、ハウジングと、
前記通路の下面を規定するように配置された下部コンベヤベルトであって、前記コンベヤベルトは、前記入口の方に向かって上流端を有するとともに、前記出口の方に向かって下流端を有し、前記上流端は、前記下流端が前記通路の中心線から離れているよりもさらに前記通路の前記中心線から離れており、それにより、前記通路の断面が前記入口から前記出口に向かって小さくなるような傾斜面が提供されている、下部コンベヤベルトと、
を備える出口シュート。
【手続補正２】
【補正対象書類名】明細書
【補正対象項目名】全文
【補正方法】変更
【補正の内容】
【発明の詳細な説明】
【発明の名称】ダンネージ変換機用の動力式出口シュート
【発明の詳細な説明】
【０００１】
［発明の分野］
本発明は、概して、ストック材を、梱包に役立つダンネージ製品へと変換する機械のための動力式出口シュート、及びそのような出口シュートを備えるダンネージ変換機に関する。
［背景］
物品をある場所から別の場所へ輸送する過程において、典型的には、保護梱包材が輸送ケース又はボックスの内部に入れられ、隙間を埋めたり、物品に対する輸送中の衝撃を緩和したりする。従来の保護梱包材としては、プラスチック製発泡ピーナッツ、プラスチック製気泡包装材等がある。
【０００２】
紙製の保護梱包材は、従来のプラスチック製梱包材の代替品として非常に普及している。紙は生分解可能であるとともにリサイクル可能であり、再生可能な資源から作られているため、良識のある産業にとって、環境に責任の持てる選択肢となっている。さらに、紙製の保護ダンネージ材は、その清潔で埃の無い表面において静電気が蓄積しにくいため、粒子の影響を受けやすい商品での使用に特に有利である。
【０００３】
シート形状の紙を保護梱包材として使用することも可能であろうが、梱包会社は、紙のシートを比較的低密度のダンネージ製品に変換することをしばしば好む。そのような変換は、例えば同一出願人による米国特許第４，９６８，２９１号及び第５，１２３，８８９号に開示されているような、ダンネージ変換機によって達成され得る。ダンネージ変換機は、典型的には、紙などのシートストック材を、元のストック材よりも低密度のダンネージの帯に変換する。梱包用途で使用するために、その帯から所望の長さのダンネージ製品が切断又は裁断される。
［概要］
本発明は、ダンネージ変換機用の改良された出口、及びそのような出口シュートを備えるダンネージ変換機を提供する。出口シュートは、ダンネージが移動する経路の長さを延長して、シュートの出口を変換機の作動要素から離れさせる。また、狭い出口を提供することで、出口の内部に異物が挿入されることを抑止するとともに、出口に向けてダンネージ製品を能動的に駆動する。したがって、出口シュートは、出口シュートよりも短いダンネージを含む、様々な長さのダンネージを小出しに提供するのに好適であり得る。
【０００４】
より具体的には、本発明は、以下の特徴を備えるダンネージ変換機を提供し得る。特徴とはすなわち、（ａ）変換アセンブリであって、（ｉ）ストック材を比較的低密度のダンネージの帯に成形するための成形アセンブリと、（ｉｉ）上記成形アセンブリの下流にある送給アセンブリであって、上記成形アセンブリを通過させるようにストック材を引っ張る少なくとも１つの回転要素を有する送給アセンブリと、を有する変換アセンブリ、（ｂ）上記変換アセンブリの下流にある切断アセンブリであって、上記変換アセンブリによって生成された上記ダンネージの帯から個別の長さのダンネージ製品を切断する切断アセンブリ、及び（ｃ）上記切断アセンブリの下流にある出口シュートであって、上記切断アセンブリからダンネージ製品を受け入れるように構成された出口シュート、である。上記出口シュートは、通路が中を貫くハウジングを備え、上記通路は、入口端に入口を有するとともに、上記入口端から離れた出口端に出口を有する。上記通路は、上記入口から上記出口まで下流方向に延在する。上記出口シュートは、上記通路の下面を規定する下部ガイド面を備え、上記下部ガイド面は、上記入口の方に向かって上流端を有するとともに、上記出口の方に向かって下流端を有し、上記上流端が上記通路の中心線から離れている距離は、上記下流端が上記通路の上記中心線から離れている距離より大きく、それにより、上記通路の断面が上記入口端から上記出口端に向かって小さくなるような傾斜面が提供される。
【０００５】
上記下部ガイド面は、上記出口に向けて上記下部ガイド面を移動させるように駆動される少なくとも１つの回転要素を備えてもよい。
【０００６】
上記ダンネージ変換機は、上記少なくとも１つの回転要素のうちの少なくとも１つを駆動するように構成された動力源をさらに備えてもよい。
【０００７】
上記下部ガイド面は、コンベヤベルトによって規定されてもよい。
【０００８】
上記ダンネージ変換機は、上記通路の上面を規定する、上記下部ガイド面とは離れており非平行である、上部ガイド面をさらに備えてもよい。上記上部ガイド面は、上記入口の方に向かって上流端を有するとともに上記出口の方に向かって下流端を有してもよく、上記上流端が上記通路の中心線から離れている距離は、上記下流端が上記通路の上記中心線から離れている距離より大きくてもよく、それにより傾斜面が提供されてもよい。結果として、上記上部ガイド面と上記下部ガイド面とは、それらの間隔が上記出口の付近で最小になるように収束してもよい。
【０００９】
上記上部ガイド面は、コンベヤベルトによって規定されてもよい。
【００１０】
上記上部及び下部ガイド面のそれぞれは、少なくとも２つの回転部材を備えてもよい。
【００１１】
上記出口付近で、上記上部及び下部ガイド面は互いに最も接近していてもよく、２０ｍｍ離れていてもよい。
【００１２】
上記上部及び下部ガイド面は弾性を有してもよい。
【００１３】
上記上部及び下部ガイド面の下流端は固定された位置にあってもよい。
【００１４】
上記上部及び下部ガイド面の間隔が最も狭い箇所から上記シュートの上記入力端までの距離は、少なくとも１４０ｍｍであってもよい。
【００１５】
上記下部ガイド面は、上記下部ガイド面の上記上流端から上記下部ガイド面の上記下流端まで連続面を提供するように構成されたコンベヤベルトであってもよい。
【００１６】
上記ハウジングは、上記出口シュートを貫く上記通路の対向する側面を規定する、左右の側壁を有してもよい。
【００１７】
本発明はまた、ストック材をより低密度のダンネージ製品に変換するダンネージ変換機のための出口シュートを提供し得て、上記出口シュートは、（ａ）通路が中を貫くハウジングであって、上記通路は、入口端に入口を有するとともに、上記入口端から離れた出口端に出口を有し、上記通路は、上記入口から上記出口まで下流方向に延在する、ハウジングと、（ｂ）上記通路の下面を規定するように配置された下部コンベヤベルトと、を備える。上記コンベヤベルトは、上記入口の方に向かって上流端を有するとともに上記出口の方に向かって下流端を有してもよく、上記上流端は、上記下流端が上記通路の中心線から離れているよりもさらに上記通路の上記中心線から離れていてもよく、それにより、上記通路の断面が上記入口端から上記出口端に向かって小さくなるような傾斜面が提供されてもよい。
【００１８】
本発明のこれら及びその他の特徴を、以下の説明及び付随する図面において詳細に記述する。
【図面の簡単な説明】
【００１９】
【図１】従来技術のダンネージ変換機の断面立面図である。
【図２】本発明が提供するダンネージ変換機の斜視図である。
【図３】図２のダンネージ変換機の正面立面図である。
【図４】図２のダンネージ変換機の拡大正面図である。
【図５】ハウジングの一部を説明のために取り除いた、図１のダンネージ変換機の拡大斜視図である。
【図６】図２のダンネージ変換機の一部を示す拡大断面立面図である。
【発明を実施するための形態】
【００２０】
［詳細な説明］
これらの図面を参照すると、図１は、従来技術のダンネージ変換機１０を示しており、それは、ダンネージコンバータ、変換機、又は単に機械とも称される。変換機１０は上流端１２と下流端１４とを有し、それらは下流方向１６を規定し、下流方向１６に沿って、シートストック材は上流端１２から下流端１４まで変換機１０を通り抜け移動する。（ここでいう「上流」及び「下流」という用語は、ストック材がダンネージ変換機１０を通過する方向の特性である。）上流方向（図示せず）は、下流方向１６の逆である。
【００２１】
シートストック材（図示せず）は、上流端１２に供給される。シートストック材は、典型的には筒型のロール又は矩形の連続の折り畳み式スタックの何れかである供給物から供給され得る。上流端１２から、シートストック材は、典型的には成形アセンブリ２２を備える変換アセンブリ２０を通って移動する。成形アセンブリ２２は、シート材を、密度を下げて嵩増しした形状、すなわち、元のシート材より低密度の形状に成形する。結果として得られるダンネージの帯は、続いて成形アセンブリ２２から下流に移動し、送給アセンブリ２４を通過する。送給アセンブリ２４は、成形アセンブリ２２を通過させるようにシート材を引っ張る。送給アセンブリ２４は、成形アセンブリ２２を通過させるようにストック材を引っ張る、少なくとも１つの回転要素を典型的には有する。また、送給アセンブリ２４は、シート材を幅の狭い帯状領域に沿って例えば印圧加工又は穿孔することによって、シートストック材の形状を固定するものとしてもよく、それにより、ダンネージの帯がその形状を維持するものとしてもよい。変換アセンブリ２０以降、変換アセンブリ２０の下流にある切断アセンブリ２６において、ダンネージの帯から個別のダンネージ製品が裁断又は切断され、分離される。切断アセンブリ２６以降、ダンネージ製品は出口３０から小出しに提供される。出口シュートが備えられる場合もあるが、それは、概して動力源を備えない比較的短いものである。
【００２２】
図２〜図６は、例示的なダンネージ変換機４０を図示する。図示されたダンネージ変換機４０は、シート材をダンネージの帯に変換する変換アセンブリ４２と、ダンネージの帯から個別のダンネージ製品を分離する切断アセンブリ４４とを備え、図１に示された変換機１０における、対応する変換アセンブリ２０および切断アセンブリ２６とそれぞれ同様又は同一である。本発明が提供するダンネージ変換機４０は、切断アセンブリ４４の下流に出口シュート４６も有し、出口シュート４６は、切断アセンブリ４４からダンネージ製品を受け入れるように構成される。
【００２３】
出口シュート４６は、本質的には、通路５０が中を貫く筒状のハウジング４８である。ハウジング４８は、概して矩形の断面を有する。ハウジング４８は断面が一定であってもよく、あるいは、ハウジング４８は下流方向に収束してもよい。通路５０は、入口端に入口５２を有するとともに、入口５２から離れて下流にある出口端に出口５４を有し、入口５２は、変換アセンブリ４２からダンネージの帯を受け入れるように開放している。通路５０は、入口５２から出口５４まで下流方向に延在する。出口シュート４６は、通路５０の下面を規定する下部ガイド面６０と、通路５０の上面を規定する上部ガイド面６２とをさらに備える。横方向に離れたハウジング４８の左右の側壁６４は、出口シュート４６を貫く通路５０の対向する側面を規定する。
【００２４】
下部ガイド面６０は、入口５２の方に向かって上流端を有するとともに、出口５４の方に向かって下流端を有し、上流端が通路５０の中心線６６から離れている距離は、下流端が通路５０の中心線６６から離れている距離より大きく、それにより、通路５０の断面が入口端から出口端に向かって（下流方向に）小さくなるような傾斜面が提供されている。
【００２５】
同様に、図示された上部ガイド面６２は、入口５２の方に向かって上流端を有するとともに、出口５４の方に向かって下流端を有し、上流端が通路５０の中心線６６から離れている距離は、下流端が通路５０の中心線６６から離れている距離より大きく、それにより傾斜面が提供されている。その結果、上部ガイド面６２と下部ガイド面６０とは、それらの間隔が出口５４の付近で最小になるように収束する。上部ガイド面６２と下部ガイド面６０との間の最も近接した例示的な最小間隔は、２０ｍｍ以下である。
【００２６】
本発明が提供する出口シュート４６はまた駆動要素７０を備え、駆動要素７０は回転することで、ダンネージ製品を出口シュート４６の出口５４に向けて、またその外へと前進させる。図示された実施形態では、下部ガイド面６０及び上部ガイド面６２は、コンベヤベルトによって形成されている。各コンベヤベルトは、上流回転要素と下流回転要素の間に延在し、そのうちの一方、図示された実施形態では上流回転要素は、コンベヤベルトの対向面を下流方向に前進させるように駆動される。これらの上流及び下流回転要素は、回転要素を含み、図示された実施形態では、下流回転要素は遊転ローラであり、上流回転要素は、ハウジング４８の側壁６４を貫通して延在する駆動シャフトに接続され、また、各駆動シャフトをモータ７２、又は、回転要素７０を駆動するように構成された他の動力源に連結する、チェーンドライブ及びスプロケットを介して駆動される。上部ガイド面６２及び下部ガイド面６０の両方は、典型的には、同じ速度で駆動される。
【００２７】
下部ガイド面６０及び上部ガイド面６２は、したがって、ダンネージ製品を通路５０を通して出口５４の外に向けて駆動するために協働する、一対の非平行傾斜コンベヤベルトの一部である。コンベヤベルトは、連続的な側面を提供してもよく、あるいは、横方向に離れた複数の個別のコンベヤベルトで構成されていてもよい。コンベヤベルトは、ダンネージ製品を出口シュート４６の下流端にある出口５４に向けて押し進めるために、一般的に、ダンネージ製品との間に十分な摩擦を生じさせる十分に粗い表面を有する。
【００２８】
上記構成では、出口シュート４６の長さ、並びにダンネージ製品が切断アセンブリ４４及び変換アセンブリ４２から出口５４まで移動しなければならない距離は大きくなり得る一方で、より短いダンネージ製品を出口５４まで移動させる手段をなお提供している。出口５４から切断アセンブリ４４又は変換アセンブリ４２までの距離は、典型的には、少なくとも１４０ｍｍであり、２００ｍｍを超えてもよい。
【００２９】
下部ガイド面６０及び上部ガイド面６２の下流端は、典型的には、固定されており、ダンネージ製品が下部ガイド面６０及び上部ガイド面６２の下流端の間を通過する際に、その間隔において一時的にダンネージ製品を圧縮し得る。ダンネージ製品は、典型的には、そのような一時的圧縮がダンネージ製品の梱包材としての性能に実質的にほとんどあるいは全く影響を及ぼさないほどの十分な弾性を有する。
【００３０】
あるいは、下部ガイド面６０及び上部ガイド面６２は、出口シュート４６を通して通路５０の上部および下部を規定するように配列された一連の従動ローラによって形成されてもよい。これらのローラは、全てが駆動されるように連結されてもよいし、あるいは、一部のローラが駆動されるように連結されてもよい。上部ガイド面６２は、任意に、下部ガイド面６０の下流端に対向するとともにそこから離れた１つのローラによって形成されてもよい。
【００３１】
機械４０の作動中、変換アセンブリ４２は、ストック材を下流に引っ張り、ストック材を比較的低密度のダンネージの帯に成形する。ダンネージの帯が変換アセンブリ４２から下流へと続いていく際に、切断アセンブリ４４は、ダンネージの帯から個別の長さのダンネージ製品を分離する。ダンネージの帯の前端は、ダンネージ製品がその帯から切断される前に、出口シュート４６の中へと延在してもよく、その後、切断されたダンネージ製品は、出口シュート４６を通って下流へと続く。出口シュート４６はダンネージ製品を出口５４の外へと駆動し、作業者がそれを収集する。
【００３２】
作動中、ダンネージの帯の前端は、切断アセンブリを過ぎて延在する。ダンネージの帯の形成に用いられるストック材の剛性によっては、帯の端部は、下部ガイド面６０に接触するまで重力によって下方へ引かれ得る。下部ガイド面６０が駆動され、単独で、あるいは上部ガイド面６２と協働して、ダンネージの帯の前端を出口５４に向けて押し進める。ダンネージの帯が下流へと続いていくにつれて、収束する上部ガイド面６２および下部ガイド面６０の両方との係合がますます起こりやすくなる。下部ガイド面６０及び上部ガイド面６２の下流端において、出口５４付近で、下部ガイド面６０及び上部ガイド面６２の下流端は間隔が狭くなり、その結果、上部ガイド面６２の下流端と下部ガイド面６０の下流端との間をダンネージの帯又はダンネージ製品が移動する際に、一時的にそれを圧縮してもよい。
【００３３】
切断アセンブリ４４の作動中、典型的には、変換アセンブリ４２は停止し、それによりダンネージの帯は下流への移動を停止する。上部ガイド面６２及び下部ガイド面６０は、切断アセンブリ４４の作動中、作動を継続してもよいし、あるいは停止してもよい。ひとたび切断アセンブリ４４がダンネージの帯から個別の長さのダンネージ製品を切断すると、上部ガイド面６２及び下部ガイド面６０は、協働してダンネージ製品を出口５４の外まで前進させ続け得る。出口シュート４６の上流端にある入口５２は、典型的には、切断アセンブリ４４の出口側に隣接し、ダンネージの帯が非常に柔軟であったり、出口シュート４６より長さが短かったりする場合であっても、ダンネージの帯の前端を受け入れるように開口している。
【００３４】
図５に示されるように、下部ガイド面６０及び上部ガイド面６２は、駆動シャフトを、出口シュート４６の側壁６４のうちの一方を貫通するように延在させてスプロケットと接続することで、モータ７２と接続されて駆動されてもよい。スプロケットは、チェーンを介してモータ７２に接続されることによって動力が供給される。チェーンは、スプロケットの歯と噛み合う。変換アセンブリ４２、切断アセンブリ４４、下部ガイド面６０及び上部ガイド面６２、又はそれらの組み合わせの駆動要素に動力を供給するために、共通のモータ７２を使用してもよい。その結果、変換アセンブリ４２がダンネージの帯を生成しているとき、下部ガイド面及び上部ガイド面も前進して、ダンネージの帯及び切断された個別のダンネージ製品を出口シュート４６を通して出口５４へと押し進め得る。なお、切断アセンブリ４４が、出口シュート４６よりもかなり短いダンネージ製品であっても前進させて小出しに提供する役割も果たしながら、ダンネージの帯からダンネージ製品を切断するように作動する間、下部ガイド面６０及び上部ガイド面６２の傾斜特性によって、ダンネージの帯は過剰な摩擦を受けない。
【００３５】
出口シュート４６は、開放することにより下部ガイド面６０と上部ガイド面６２とを分離させ、出口シュート４６を介したアクセスが容易になるような態様で、開放可能であってもよい。
【００３６】
出口シュート４６は、図面に示されるタイプのダンネージ変換機４０、又は別のタイプのダンネージ機とともに同等に使用され得る一方で、出口シュート４６は、ここに図示又は記述されていない他のダンネージ変換機において使用されてもよい。
【００３７】
本発明は、ストック材をより低密度のダンネージ製品に変換するダンネージ変換機４０のための出口シュート４６も提供し得る。上述したように、出口シュート４６は、（ａ）中を貫く通路５０を有するハウジング４８であって、通路５０は、入口端に入口５２を有するとともに、入口５２から離れた出口端に出口５４を有し、通路は、入口５２から出口５４まで下流方向に延在する、ハウジング４８と、（ｂ）通路５０の下面を規定するように配置された、下部ガイド面６０を規定する下部コンベヤベルトと、を備え得る。下部コンベヤベルトは、入口５２の方に向かう上流端を有するとともに出口５４の方に向かう下流端を有し得る。上流端は、下流端が通路５０の中心線６６から離れているよりもさらに通路５０の中心線６６から離れていてよく、それにより、通路５０の断面が入口５２から出口５４に向かって小さくなるような傾斜面が提供されている。
【００３８】
要するに、本発明はダンネージ変換機４０を提供し、ダンネージ変換機４０は、ストック材をより低密度のダンネージ製品に変換し、出口シュート４６を備え、出口シュート４６は、中を貫く通路５０を有するハウジング４８を有し、通路５０は、入口端にある入口５２から下って、入口５２から離れた出口端にある出口５４に至る。出口シュート４６は、通路５０の下面を規定する下部ガイド面６０を備える。下部ガイド面６０は、入口５２の方に向かって上流端を有するとともに、出口５４の方に向かって下流端を有する。下部ガイド面６０の上流端が通路５０の中心線６６から離れている距離は、下流端が通路５０の中心線６６から離れている距離より大きく、それにより、通路５０の断面が入口５２から出口５４に向かって小さくなるような傾斜面が提供されている。
【００３９】
本発明を特定の実施形態に関して図示及び記述してきたが、本明細書を読み理解した結果、他の当業者が同等の変更及び修正に思い至ることもあろう。本発明は、そのような同等の変更及び修正を全て包含し、後に続く特許請求の範囲によってのみ限定される。さらに、以下の請求項における全てのミーンズ・プラス・ファンクション要素、又はステップ・プラス・ファンクション要素の、対応する構造、材料、作用、及び同等物は、具体的にクレームされているように、他のクレームされた要素との組み合わせにより機能を果たすための任意の構造、材料、又は作用を含むことを意図している。
【手続補正３】
【補正対象書類名】図面
【補正対象項目名】図２
【補正方法】変更
【補正の内容】
【図２】
2020535991.tif 000001
【手続補正４】
【補正対象書類名】図面
【補正対象項目名】図３
【補正方法】変更
【補正の内容】
【図３】
2020535991.tif 000002
【手続補正５】
【補正対象書類名】図面
【補正対象項目名】図４
【補正方法】変更
【補正の内容】
【図４】
2020535991.tif 000003
【手続補正６】
【補正対象書類名】図面
【補正対象項目名】図５
【補正方法】変更
【補正の内容】
【図５】
2020535991.tif 000004
【手続補正７】
【補正対象書類名】図面
【補正対象項目名】図６
【補正方法】変更
【補正の内容】
【図６】
2020535991.tif 000005